(57)【要約】      （修正有）【課題】芳香及び音響効果を具える灯組装置を提供する。【解決手段】灯組装置は、外殻ユニット、芳香ユニット、制御パネル及びスピーカーを含む。該外殻ユニットは、殻主体及び灯組を含む。該芳香ユニットは、前記殻主体内部に安置される。該制御パネルは、前記殻主体の外側面に安置され、該制御パネルは、機能選択ボタン、芳香設定ボタン、録音再生設定ボタン、アラーム開閉ボタン、メモリ設定ボタン及び複数のディスプレイを含む。スピーカーは、前記殻主体上に安置され、予め録音した音声又は音楽を再生する。該機能選択ボタンは、前記灯組の灯源開閉時間をそれぞれ設定でき、日の出から夕方までの徐々に変化する明るさを模倣した灯色効果を作り、アラーム時間を設定し、録音音声／音楽の開閉時間を設定し、芳香ユニットの芳香を放つ時間を設定する。【選択図】図１
0003151237.tif 000002
【実用新案登録請求の範囲】
【請求項１】
殻主体と灯組を含む外殻ユニットと、
前記殻主体内部に安置される芳香ユニットと、
前記殻主体の外側面に安置される制御パネルであって、該制御パネルが機能選択ボタンと、芳香設定ボタンと、録音再生設定ボタンと、アラーム開閉ボタンと、メモリ設定ボタンと、複数のディスプレイを含む制御パネルと、
前記殻主体上に安置され、予め録音した音声又は音楽を提供するスピーカーと、
を含み、該機能選択ボタンは、前記灯組の灯源開閉時間をそれぞれ設定でき、日の出から夕方までの徐々に変化する明るさを模倣した灯色効果を作り、アラーム時間を設定し、録音音声/音楽の開閉時間を設定し、芳香ユニットの芳香を放つ時間を設定する芳香及び音響効果を具える灯組装置。
【請求項２】
前記外殻ユニットの外殻体が、底蓋、上蓋、２つの側蓋、後蓋、２つのランプシェード及び灯ソケットを含み、該灯組が灯ソケットに安置され、該灯ソケットが該底蓋上に固定設置され、該２つの側蓋が該底蓋の左右両側に結合し、該制御パネルが該底蓋の前側に結合し、該後蓋が該底蓋の後側に結合し、該２つのランプシェードは、前後方向にそれぞれ該制御パネルの上方及び該後蓋の上方に嵌合し、両側蓋と嵌合する請求項１記載の芳香及び音響効果を具える灯組装置。
【請求項３】
前記側蓋は、固定片、回転ソケット、固定溝を更に含み、該固定溝が該側蓋の一側に設けられ、前記固定片は、Ｌ型片体であり、該側蓋上端一側に設けられ、該回転ソケットは、断面を有する円柱体中央に更に凸設する直径がより小さな円柱であり、もう１つの側蓋は、更に、中空柱、固定片、回転ソケット、固定溝を含み、該中空柱内部に中空通路を定義し、該固定溝が該側蓋の一側に設けられ、前記の固定片は、Ｌ型片体であり、該側蓋上端一側に設けられ、該回転ソケットは、断面を有する円柱体中央に更に凸設する直径がより小さな円柱である請求項2記載の芳香及び音響効果を具える灯組装置。
【請求項４】
前記内蓋は、更に、２つの固定溝を含み、そのうち１つの固定溝が矩形溝であり、該内蓋一側中央に設けられ、もう１つの固定溝が矩形溝であり、該内蓋のもう一側中央に対称に設けられ、前記のランプシェードが、更に、ボタン、２つの対称なラッチ及び対称な回転ボタンを含み、各該回転ボタンは、Ｃ形中空中体構造であり、該ボタンは、一端が該ランプシェード上側中央に延伸内凸するコ字形ボタンであり、該ボタン端部は、フック部を有し、該ラッチ端部はフック部を有し、前記もう１つのランプシェードは、更に、ボタンと、２つの対称なスライドレールを含み、該ボタンは、一端が該ランプシェード上側中央に延伸内凸するコ字形ボタンであり、該ボタン端部はフック部を有し、該スライドレールは、該ランプシェードの両側辺縁に対称に設けられる請求項2記載の芳香及び音響効果を具える灯組装置。
【請求項５】
前記制御パネル３００は、機能選択ボタン７０、上向き微調制御ボタン７１、下向き微調制御ボタン７２、芳香設定ボタン７３、録音再生設定ボタン７４、アラーム開閉ボタン７５、メモリ設定ボタン７６、休憩設定ボタン７７、快速確定ボタン７８、休眠設定ボタン８７を含む請求項１記載の芳香及び音響効果を具える灯組装置。
【請求項６】
前記制御パネルは、更に、ＬＣＤパネル、電球ディスプレイ、ムード灯ディスプレイ、音声/音楽ディスプレイ、周波数調整ディスプレイ、アラームディスプレイ、２つのスピーカーディスプレイを含む請求項１記載の芳香及び音響効果を具える灯組装置。
【請求項７】
前記芳香ユニットは、収納ケース、芳香物及びファンを含み、該芳香物は、開放した収納ケース中に安置され、該ファンは、該収納ケースの一側に安置され、動力により風を送り、芳香物の香りを該殻主体外部に放出する請求項１記載の芳香及び音響効果を具える灯組装置。
【請求項８】
前記芳香ユニットは、綿片を更に含み、該収納ケースが第１収容室と第２収容室を含み、該第１収容室が該第２収容室に連通し、該芳香物が該第１収容室に充填され、該綿片が該第２収容室に安置される請求項７記載の芳香及び音響効果を具える灯組装置。
【請求項９】
前記芳香物は、固体芳香剤、ドライポプリ、エッセンスオイル、香水、アロマキャンドルのいずれか1種を含む請求項８記載の芳香及び音響効果を具える灯組装置。
【請求項１０】
前記外殻ユニットの灯組は、白熱電球またはLED電球のいずれか1種である請求項１記載の芳香及び音響効果を具える灯組装置。
【請求項１１】
更に、ヒートシンク板を含み、該ヒートシンク板が前記内蓋下方に結合する請求項１記載の芳香及び音響効果を具える灯組装置。
【考案の詳細な説明】
【技術分野】
【０００１】
本考案は、ＬＯＨＡＳ生活用品に関し、芳香及び音響効果を具える灯組装置に関する。
【背景技術】
【０００２】
ＬＯＨＡＳ（LOHAS：Lifestyles of Health and Sustainability )は、ゆっくりと全世界に広がり、全世界でＬＯＨＡＳが流行し、それらは、健康を重視し、永続の精神を協調している。
【０００３】
「ＬＯＨＡＳ」は、生活を理解し、生活を快適することであり、真のＬＯＨＡＳ族は、金銭を有する者だけが享受できる特権ではない。ＬＯＨＡＳは、必ずしも金銭上と等号ではなく、金銭及び余暇のある人が必ずしもＬＯＨＡＳであるわけではない。
【０００４】
たとえ、「贅沢」をすることができても、表面上の健康を満足しているだけである恐れがある。たとえ、山脈、渓流、海岸、集落、峡谷等の自然風景をそぞろ歩き、静寂優雅な気分に浸ることができても、一時的に雑踏、厚さまたは俗世間、利益、感情の足枷を忘れるに過ぎない。
【先行技術文献】
【特許文献】
【０００５】
【特許文献１】特開２００３−１８０８３９号公報
【考案の概要】
【考案が解決しようとする課題】
【０００６】
しかしながら、真のＬＯＨＡＳは、更に、心性を高上し、良好な生活習慣及びバランスの良い飲食を有することができる。また、心身のバランスの良い健康的発展を追及するものであり、自然を学び、人類の純真な本性に回帰し、宇宙の共同特性「真、善、忍」に向け、人生の真理方向を発掘するものである。
【０００７】
ＬＯＨＡＳな人生を追求する人々が益々多くなるに鑑み、以下のＬＯＨＡＳ生活用品の誕生を有する。
【課題を解決するための手段】
【０００８】
本考案が提示する芳香及び音響効果を具える灯組装置は、外殻ユニット、芳香ユニット、制御パネル及びスピーカーを含む。該外殻ユニットは、殻主体及び灯組を含む。該芳香ユニットは、前記殻主体内部に安置される。該制御パネルは、前記殻主体の外側面に安置され、そのうち、該制御パネルは、機能選択ボタン、上向き微調制御ボタン、下向き微調制御ボタン、芳香設定ボタン、録音再生設定ボタン、アラーム開閉ボタン、メモリ設定ボタン、休憩ボタン、快速確定ボタン、休眠設定ボタンを含み、該制御パネルは、更に、ＬＣＤパネル、電球ディスプレイ、ムード灯ディスプレイ、音声/音楽ディスプレイ、周波数調整ディスプレイ、アラームディスプレイ、２つのスピーカーディスプレイを含む。該スピーカーは、前記殻主体上に安置され、予め録音した音声又は音楽を再生する。
【０００９】
これにより、該機能選択ボタンは、それぞれ前記灯組の灯源開閉時間を設定し、日の出から夕方までの徐々に暗くなる明るさを模倣した灯色効果を作り出し、アラーム時間を設定し、予め録音した音声/音楽の開閉時間を設定し、芳香ユニットの香りを放つ時間を設定することができる。
【００１０】
本考案の上記に提示する芳香及び音響効果を具える灯組装置は、そのうち、該制御パネルのディスプレイが、ＬＣＤパネル、電球ディスプレイ、ムード灯ディスプレイ、音声/音楽ディスプレイ、周波数調整ディスプレイ、アラームディスプレイ、２つのスピーカーディスプレイを含む。
【００１１】
好適には、本考案の上記に提示する芳香及び音響効果を具える灯組装置は、そのうち、該芳香ユニットが、収納ケース、芳香物及びファンを含み、該芳香物は、開放的収納ケース中に安置され、該ファンは、該収納ケースの一側に安置され、動力により風を吹き、芳香物の香りを該殻主体外部に放出する。
【００１２】
本考案の上記に提示する芳香及び音響効果を具える灯組装置は、そのうち、更に、回路基板を含み、電力及び全ての操作機能を制御することに用いる。
【００１３】
本考案の上記に提示する芳香及び音響効果を具える灯組装置は、そのうち、該外殻ユニットの灯組は、更に、少なくとも1つのＬＥＤ灯（図示せず）を含み、灯光色彩を変化させ、ムードを作り出すことに用いる。
【００１４】
また、本考案の上記に提示する芳香及び音響効果を具える灯組装置は、更に、マルチメディアプレイヤーを含み、予め録音した各式音声、音楽を状況に応じて再生することができる。
【考案の効果】
【００１５】
上記のように、本考案の芳香及び音響効果を具える灯組装置は、起床の数分前を利用し、灯色が徐々に明るくなる日の出を模倣した灯光効果によって、又は更に灯光が色を変化することができ、使用者の心情を変化させ、更にLOHAS快適であるため、芳香を徐々に散逸し、または、音楽又は大自然の音声又は各種音源を再生し、自然と快適で温暖なモードになり、人が自然な芳香、快適な灯色又は大自然の状況又は温和な音源環境中で、自然に目覚め、ＬＯＨＡＳ人生の境地を享受するだけではなく、更に、本考案は、視覚障害者、聴覚障害者又は病人に恩恵をもたらすことができ、灯光、音源、方向により起床時に目覚めにより人間味及び温和性を持たせ、従来の高デシベルで耳障りなアラーム音を受けることなく、ＬＯＨＡＳな雰囲気に浸ることができる。
【図面の簡単な説明】
【００１６】
【図１】本考案の芳香及び音響効果を具える灯組装置の実施例の正面立体図である。
【図２】該実施例の芳香及び音響効果を具える灯組装置の背面立体図である。
【図３】該実施例の芳香及び音響効果を具える灯組装置の分解立体図である。
【図３Ａ】該実施例中の該側蓋の立体図である。
【図３Ｂ】該実施例中のもう一側の側蓋の立体図である。
【図３Ｃ】該実施例中の該内蓋の立体図である。
【図３Ｄ】該実施例中の該ランプシェードの立体図である。
【図３Ｅ】該実施例中のもう１つのランプシェードの立体図である。
【図４】該実施例中の芳香ユニットの分解立体図である。
【図５】該実施例中の制御パネルの正面図である。
【図６】ＬＣＤパネルの正面図である。
【考案を実施するための形態】
【００１７】
図１、図２、図３において、本考案の芳香及び音響効果を具える灯組装置の実施例は、外殻ユニット１００、芳香ユニット２００、制御パネル３００、スピーカー４００、回路基板５００及び電源ケーブル６００を含む。
【００１８】
該外殻ユニット１００は、殻主体１０及び灯組２０を含む。該外殻体１０は、底蓋１１、上蓋１２、２つの側蓋１３，１４、後蓋１５、２つのランプシェード１６，１７、内蓋１８、ヒートシンク板１９、灯ソケット２１を含む。本実施例中、該灯組２０は、白熱電球、薄赤/橙色の灯光であり、明るさを微調することができる。該灯組２０は、該灯ソケット２１上に安置され、該回路基板５００と電気接続を構成する。前記の上蓋１２は、更に、複数のヒートシンク隙間１２１を残し、ヒートシンク管路を提供することに用いる。
【００１９】
図３Ａ、図３Ｂにおいて、前記の側蓋１３内部に、更に固定片１３３、回転ソケット１３５、固定溝１３７を含み、該固定溝１３７は、該側蓋１３の一側に設けられる。前記の固定片１３３は、Ｌ型片体であり、該側蓋１３上端一側に設ける。該回転ソケット１３５は、断面を具える円柱体中央に更に凸設する直径の小さな円柱１３５１である。側蓋１３と対応する側蓋１４内部に更に中空柱１４１、固定片１４３、回転ソケット１４５、固定溝１４７を含み、該中空柱１４１中の内部は、中空通路１４１１を定義し、該固定溝１４７は、該側蓋１４の一側に設けられる。前記の固定片１４３は、Ｌ型片体であり、該側蓋１４上端一側に設けられる。該回転ソケット１４５は、断面を具える円柱体中央に更に凸設する直径の小さな円柱１４５１である。
【００２０】
図３Ｃ、図３Ｄ及び図３Ｅにおいて、前記の内蓋１８は、更に、固定溝１８１，１８３を含み、複数のヒートシンク隙間１８５を残し、該固定溝１８１は、該内蓋１８一側中央に矩形に凹設され、該固定溝１８３は、該内蓋１８のもう一側中央に対称に設けられる。前記のランプシェード１６は、更にボタン１６１、２つの対称なラッチ１６３，１６３’、２つの対称な回転ボタン１６５，１６５’を含み、該回転ボタン１６５，１６５’は、Ｃ形の中空柱体構造であり、該ボタン１６１は、一端が該ランプシェード１６上側中央に延伸内凸するコ字形のボタンであり、該ボタン１６１端部は、フック部１６１１を有し、該ラッチ１６３，１６３’端部は、フック部１６３１，１６３１’を有する。前記のランプシェード１７は、更に、ボタン１７１、２つの対称なスライドレール１７３，１７３’を含み、該ボタン１７１は、一端が該ランプシェード１７上側中央に延伸内凸するコ字形のボタンであり、該ボタン１７１端部は、フック部１７１１を有し、該スライドレール１７３，１７３’は、該ランプシェード１７の両側辺縁に対称に設けられる。
【００２１】
図３及び図４において、該芳香ユニット２００は、収納ケース３０、芳香物４０及びファン５０中空殻部材１４２を含む。該中空殻部材４２内部に空間１４２１を定義し、該収納ケース３０を対称設置することに用い、該芳香物４０は、該収納ケース３０中に置かれ、該芳香ユニット２００は、前記側蓋１４の中空通路１４１１中に安置される。前記ファン５０は、該中空通路１４１１端口に結合する。
【００２２】
該芳香ユニット２００は、更に、綿片６０を含み、該収納ケース３０は、第１収容室３１と、第２収容室３２を有し、該第１収容室３１は、該第２収容室３２に連通し、該芳香物４０は、該第１収容室３１に充填され、該綿片６０は、液体エッセンス又は一般の香水、花草エッセンスを付着することに用い、該第２収容室３２中に安置される。該芳香物４０は、固体芳香剤、ドライポプリ、エッセンスオイル、アロマキャンドル、香水等のいずれか１種を含む。本実施例は、顆粒式の固体芳香剤を例とする。また、家庭の庭で栽培した自然ハーブ、ジャスミン花弁、ラベンダー、ローズマリー、香草等の植物花弁、葉片を採取し、通気性のある袋に入れ、収納ケース３０の第１収容室３１中に入れ、使用することもできる。
【００２３】
これにより、ファン５０を起動し、風力により芳香物４０を吹き、芳香物４０の香りを中空殻部材１４２の中空通路１４１１から殻主体１０外部に放出する。
図３、図３Ａ、図３Ｂ、図３Ｃ、図３Ｄ、図３Ｅにおいて、前記のランプシェード１７，１６のスライドレール１７３、１７３’、１６３、１６３’をそれぞれ該固定溝１４７、１３７に入れ固定し、前記側蓋１６のＣ形中空柱体構造の回転ボタン１６５、１６５’を、それぞれ該回転ソケット１４５の円柱１４５１及び該回転ソケットの円柱１３５１に嵌合する。これにより、該ランプシェード１６は、該回転ボタン１６５、１６５’を利用し回転を作り、該ランプシェード１６を開閉することができ、使用者が手指を利用しフック部１６１１をフックし、該ランプシェード１６を迅速に開閉し、電球を交換することができる。前記のラッチ１６３，１６３’のフック部１６３１，１６３１’は、それぞれ該側蓋１４，１３の固定片１４３，１３３に嵌合し、更に、前記の内シェード１８を側蓋１４，１３の上部に結合し、同時に該ランプシェード１６のボタン１６１を内シェード１８の固定溝１８１に結合し、もう１つのランプシェード１７のボタン１７１を内シェード１８の固定溝１８１に結合し、その後、上蓋１２を内シェード１８及びランプシェード１６，１７上端に被せる。前記側蓋１４，１３下側は、それぞれ前記灯ソケット２１左右両側に結合する。
【００２４】
図３、図５において、該制御パネル３００は、前記殻主体１０の外側面に安置され、該制御パネル３００内部は、該灯ソケット２１一側に連結し、該制御パネル３００は、前記回路基板５００と電気接続を構成し、該制御パネル３００上の各種装置機能を操作する。該制御パネル３００は、機能選択ボタン７０、上向き微調制御ボタン７１、下向き微調制御ボタン７２、芳香設定ボタン７３、録音再生設定ボタン７４、アラーム開閉ボタン７５、メモリ設定ボタン７６、休憩設定ボタン７７、快速確定ボタン７８、休眠設定ボタン８７を含む。該制御パネル３００は、更に、ＬＣＤパネル７９、電球ディスプレイ８０、ムード灯ディスプレイ８１、音声/音楽ディスプレイ８２、周波数調整ディスプレイ８３、アラームディスプレイ８４、２つのスピーカーディスプレイ８５，８６を含む。
【００２５】
前記の休憩設定ボタン７７は、アラームが既に一度停止された後、該休憩設定ボタン７７をもう一度押せば、所定時間後に、該アラームが複数回重複して警告するようにし、寝坊習慣者が起きるまで続けることができる。前記の快速確定ボタン７８の用途は、前回既に使用した1種又は多種の機能キーとし、該快速確定ボタン７８を押すことにより、前回の使用機能を再起動することができる。前記の休眠設定ボタン８７は、本考案の1種または複数種の機能ボタンの使用中に、該オフ設定ボタン８７を押せば、所定時間後に前記使用中の1種又は複数種の機能操作が自動的に動作を停止するようにするものである。
【００２６】
最後に、図２及び図３において、該後蓋１５が該スピーカー４００に組み合わさり、同時に該灯ソケット２１のもう一側に結合し、前記殻主体１０上に安置され、更に、底蓋１１を前記側蓋１３，１４、後蓋１５及び制御パネル３００の下側に結合し、本考案の外殻体１００部分を完成し、前記スピーカー４００は、予め録音した音声又は音楽を再生することができる。
【００２７】
また、本考案の芳香及び音響効果を具える灯組装置は、更に、マルチメディアプレイヤー７００を含み、予め録音した格式音声、音楽を適時環境に応じて再生させることができる。
【００２８】
前記の芳香及び音響効果を具える灯組装置は、更にヒートシンク板１９を含み、該ヒートシンク板１９は、前記内蓋１８下方に結合し、本考案の灯光が発生する高温熱気に対してヒートシンクを提供することに用い、内蓋１８及び上蓋１２の隙間１８５，１２１を経由して高温を散出する。
【００２９】
図６において、該制御パネル中のＬＣＤパネル７９中の格式符号の意味は以下の通りである：
AM/FM ８８：８８の表示符号は、午前及び午後又は２４時間制の時間を表示するものである。
【００３０】
CLK SETは、時間設定の表示に用いるものである。
【００３１】
ALM SETは、アラーム時間設定の表示に用いるものである。
【００３２】
８８の符号と
0003151237.tif 000003
の太陽符号は、日の出(SUN RAISE)を模倣した灯光明暗パラメータを設定することに用い、例えば、パラメータ30，45，60…等を設定するものである。ALARM時間に達する時、
0003151237.tif 000004
符号が点灯し、設定したパラメータ時間でカウントを行う。
【００３３】
0003151237.tif 000005
符号は、アラーム時間に芳香機能を自動開始する設定をした後、
0003151237.tif 000006
符号が点灯する。
アラーム（目覚まし）符号と１８８：８８領域符号は、ALARM設定後、アラーム符号が点灯し、設定時間を表示する。
【００３４】
電球及びＲＧＢ３つの円形符号及び８８符号は、ＬＩＧＨＴ及びＲＧＢ発光ダイオードの灯色機能であり、デジタル数字部分のＬＩＧＨＴは、１〜２５の明るさを選択できる。ＲＧＢは、０１〜０９までの異なる色を選択でき、また、ＬＩＧＨＴの最大明度は、ALARM時の最大明度であることができる。ＲＧＢ発光ダイオードの灯色機能は、ムードディスプレイ８１の変化表示を介して、人間味の要求に適合し、科学技術を気軽に自然使用し、ムードを作り、異なる状況に適用し、異なる灯色を展開し、情緒を添えることができる。
【００３５】
FM符号と前記１８８：８８領域符号は、ALARMの音声表示となることができる。
【００３６】
スピーカー符号と８８符号は、音量の大きさを表示するものである。
【００３７】
MEM符号は、ALARMの設定値、自然音楽又はＦＭ及び電球の強度を記憶する。
【００３８】
REC符号は、前記録音再生設定ボタン７４押している時、録音させ、録音後に自動で一度再生し、録音音楽中に保存し、再生が必要でれば、音楽モードに入り、再度再生することができ、例えば、母がそばにいない娘に伝える言葉、又は子供を起床させる言葉であり、子供を可愛がる時期に母がベッド付近で起床させることができる。または、有名人の激励の言葉録音し、自分を激励することに用いることができる。または、恋人同士が愛情を伝達する思いやりのある言葉を録音し、朝の目覚ましとすることができる。この録音設定ボタン７４は、さらに、大自然の音楽、心臓の音、波の音、鳥の鳴き声、風の音、雷の音、雨音、協会の鐘、風鈴の音、海鳴りの音、鯨の鳴き声、乳児の笑い声、を予め録音する機能を有する。
【００３９】
Hot符号は、本考案の芳香定期装置が既に使い切り、温度が過熱されていることを表示する。
【００４０】
SNOOZE符号は、前記休憩設定ボタン７７が寝坊モードをオンとなっていることを表示する。
【００４１】
0003151237.tif 000007
の4つの花の符号は、芳香(AROMA)機能がオンとなっていることを表示する。
上記のように、本考案の芳香及び音響効果を具える灯組装置は、機能選択ボタン７０を介してそれぞれ前記灯組２０の灯源開閉時間を設定し、起床数分前に、日の出から夕方までの明暗を模倣した灯色効果を有し、又は更に、灯光が色を変化させることができ、使用者の心情を変化させ、よりＬＯＨＡＳ快適であり、また、音楽又は大自然の音声又は各種音源を再生し、ファン５０の送風作用を定時制御し、芳香物４０又は香水又は家の中の天然の花の香り、又は綿片６０が吸引した液体の香りを、徐々に部屋全体へ散逸し、室内に香りを充満させ、耳障りなアラーム音によることなく、人にストレスを与えずに、自然の香りの中で、自然に目覚めさせ、活力のある一日を開始させることができる。
【００４２】
また、録音再生設定ボタン７４を併せ、音楽を録音、又はラジオを再生し、大自然の森林の鳥の鳴き声又はラジオの音声を補い、スピーカーを介して出力する録音音声/音楽が、起床時刻に従来の目覚ましの喧騒な音を受け、驚きの中で目覚めることを回避し、ＬＯＨＡＳの態度及び雰囲気で活力のある一日を開始させることができる。
【００４３】
更に、視覚障害者及び聴覚障害者に恩恵を与えることができ、香り、軽やかな耳に良い自然音楽、又は徐々に明るくなる灯光によって一日の開始を告知することができる。
【符号の説明】
【００４４】
１００  外殻ユニット
２００  芳香ユニット
３００  制御パネル
４００  スピーカー
５００  回路基板
６００  電源ケーブル
７００  マルチメディアプレイヤー
１０  殻主体
１１  底体
１２  上蓋
１２１  隙間
１３  側蓋
１３３  固定片
１３５  回転ソケット
１３５１  円柱
１３７  固定溝
１４  側蓋
１４１  中空柱
１４１１  中空通路
１４２  中空殻部材
１４２１  空間
１４３  固定片
１４５  回転ソケット
１４５１  円柱
１４７  固定溝
１５  後蓋
１６  ランプシェード
１６１  ボタン
１６１１  フック部
１６３  ラッチ
１６３１  フック部
１６３’  ラッチ
１６５  回転ボタン
１６５’  回転ボタン
１７  ランプシェード
１７１  ボタン
１７１１  フック部
１７３  スライドレール
１７３’  スライドレール
１８  内蓋
１８１  固定溝
１８３  固定溝
１８５  隙間
１９  ヒートシンク板
２０  灯組
２１  灯ソケット
３０  収納ケース
３１  第１収容室
３２  第２収容室
４０  芳香物
５０  ファン
６０  綿片
７０  機能選択ボタン
７１  上向き微調制御ボタン
７２  下向き微調制御ボタン
７３  芳香設定ボタン
７４  録音再生設定ボタン
７５  アラーム開閉ボタン
７６  メモリ設定ボタン
７７  休憩設定ボタン
７８  快速確定ボタン
８７  休眠設定ボタン
７９  ＬＣＤパネル
８０  電球ディスプレイ
８１  ムードランプディスプレイ
８２  声音/音楽ディスプレイ
８３  周波数調節ディスプレイ
８４  タイマーディスプレイ
８５  スピーカーディスプレイ
８６  スピーカーディスプレイ
【図１】
0003151237.tif 000008
【図２】
0003151237.tif 000009
【図３】
0003151237.tif 000010
【図３Ａ】
0003151237.tif 000011
【図３Ｂ】
0003151237.tif 000012
【図３Ｃ】
0003151237.tif 000013
【図３Ｄ】
0003151237.tif 000014
【図３Ｅ】
0003151237.tif 000015
【図４】
0003151237.tif 000016
【図５】
0003151237.tif 000017
【図６】
0003151237.tif 000018
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
殻主体と照明灯を含む外殻ユニットと、
前記殻主体内部に安置される芳香ユニットと、
前記殻主体の外側面に安置される制御パネルであって、該制御パネルが機能選択ボタンと、芳香設定ボタンと、録音再生設定ボタンと、アラーム開閉ボタンと、メモリ設定ボタンと、複数のディスプレイを含む制御パネルと、
前記殻主体上に安置され、予め録音した音声又は音楽を提供するスピーカーと、
を含み、該機能選択ボタンは、前記照明灯の灯源開閉時間をそれぞれ設定でき、日の出から夕方までの徐々に変化する明るさを模倣した灯色効果を作り、アラーム時間を設定し、録音音声/音楽の開閉時間を設定し、芳香ユニットの芳香を放つ時間を設定する芳香及び音響効果を具える照明灯装置。
【請求項２】
前記外殻ユニットの外殻体が、底蓋、上蓋、２つの側蓋、後蓋、２つのランプシェード、内蓋、及び灯ソケットを含み、該照明灯が灯ソケットに安置され、該灯ソケットが該底蓋上に固定設置され、該２つの側蓋が該底蓋の左右両側に結合し、該制御パネルが該底蓋の前側に結合し、該後蓋が該底蓋の後側に結合し、該２つのランプシェードは、前後方向にそれぞれ該制御パネルの上方及び該後蓋の上方に嵌合し、両側蓋と嵌合する請求項１記載の芳香及び音響効果を具える照明灯装置。
【請求項３】
前記側蓋は、固定片、回転ソケット、固定溝を更に含み、該固定溝が該側蓋の一側に設けられ、前記固定片は、Ｌ型片体であり、該側蓋上端一側に設けられ、該回転ソケットは、断面を有する円柱体中央に更に凸設する直径がより小さな円柱であり、もう１つの側蓋は、更に、中空柱、固定片、回転ソケット、固定溝を含み、該中空柱内部に中空通路を定義し、該固定溝が該側蓋の一側に設けられ、前記の固定片は、Ｌ型片体であり、該側蓋上端一側に設けられ、該回転ソケットは、断面を有する円柱体中央に更に凸設する直径がより小さな円柱である請求項2記載の芳香及び音響効果を具える照明灯装置。
【請求項４】
前記内蓋は、更に、２つの固定溝を含み、そのうち１つの固定溝が矩形溝であり、該内蓋一側中央に設けられ、もう１つの固定溝が矩形溝であり、該内蓋のもう一側中央に対称に設けられ、前記のランプシェードが、更に、ボタン、２つの対称なラッチ及び対称な回転ボタンを含み、各該回転ボタンは、Ｃ形中空中体構造であり、該ボタンは、一端が該ランプシェード上側中央に延伸内凸するコ字形ボタンであり、該ボタン端部は、フック部を有し、該ラッチ端部はフック部を有し、前記もう１つのランプシェードは、更に、ボタンと、２つの対称なスライドレールを含み、該ボタンは、一端が該ランプシェード上側中央に延伸内凸するコ字形ボタンであり、該ボタン端部はフック部を有し、該スライドレールは、該ランプシェードの両側辺縁に対称に設けられる請求項2記載の芳香及び音響効果を具える照明灯装置。
【請求項５】
前記制御パネル３００は、機能選択ボタン７０、上向き微調制御ボタン７１、下向き微調制御ボタン７２、芳香設定ボタン７３、録音再生設定ボタン７４、アラーム開閉ボタン７５、メモリ設定ボタン７６、休憩設定ボタン７７、快速確定ボタン７８、休眠設定ボタン８７を含む請求項１記載の芳香及び音響効果を具える照明灯装置。
【請求項６】
前記制御パネルは、更に、ＬＣＤパネル、電球ディスプレイ、ムード灯ディスプレイ、音声/音楽ディスプレイ、周波数調整ディスプレイ、アラームディスプレイ、２つのスピーカーディスプレイを含む請求項１記載の芳香及び音響効果を具える照明灯装置。
【請求項７】
前記芳香ユニットは、収納ケース、芳香物及びファンを含み、該芳香物は、開放した収納ケース中に安置され、該ファンは、該収納ケースの一側に安置され、動力により風を送り、芳香物の香りを該殻主体外部に放出する請求項１記載の芳香及び音響効果を具える照明灯装置。
【請求項８】
前記芳香ユニットは、綿片を更に含み、該収納ケースが第１収容室と第２収容室を含み、該第１収容室が該第２収容室に連通し、該芳香物が該第１収容室に充填され、該綿片が該第２収容室に安置される請求項７記載の芳香及び音響効果を具える照明灯装置。
【請求項９】
前記芳香物は、固体芳香剤、ドライポプリ、エッセンスオイル、香水、アロマキャンドルのいずれか1種を含む請求項８記載の芳香及び音響効果を具える照明灯装置。
【請求項１０】
前記外殻ユニットの照明灯は、白熱電球またはLED電球のいずれか1種である請求項１記載の芳香及び音響効果を具える照明灯装置。
【請求項１１】
更に、ヒートシンク板を含み、該ヒートシンク板が前記内蓋下方に結合する請求項２記載の芳香及び音響効果を具える照明灯装置。
【手続補正２】
【補正対象書類名】明細書
【補正対象項目名】全文
【補正方法】変更
【補正の内容】
【考案の詳細な説明】
【技術分野】
【０００１】
本考案は、ＬＯＨＡＳ生活用品に関し、芳香及び音響効果を具える照明灯装置に関する。
【背景技術】
【０００２】
ＬＯＨＡＳ（LOHAS：Lifestyles of Health and Sustainability )は、ゆっくりと全世界に広がり、全世界でＬＯＨＡＳが流行し、それらは、健康を重視し、永続の精神を協調している。
【０００３】
「ＬＯＨＡＳ」は、生活を理解し、生活を快適することであり、真のＬＯＨＡＳ族は、金銭を有する者だけが享受できる特権ではない。ＬＯＨＡＳは、必ずしも金銭上と等号ではなく、金銭及び余暇のある人が必ずしもＬＯＨＡＳであるわけではない。
【０００４】
たとえ、「贅沢」をすることができても、表面上の健康を満足しているだけである恐れがある。たとえ、山脈、渓流、海岸、集落、峡谷等の自然風景をそぞろ歩き、静寂優雅な気分に浸ることができても、一時的に雑踏、厚さまたは俗世間、利益、感情の足枷を忘れるに過ぎない。
【先行技術文献】
【特許文献】
【０００５】
【特許文献１】特開２００３−１８０８３９号公報
【考案の概要】
【考案が解決しようとする課題】
【０００６】
しかしながら、真のＬＯＨＡＳは、更に、心性を高上し、良好な生活習慣及びバランスの良い飲食を有することができる。また、心身のバランスの良い健康的発展を追及するものであり、自然を学び、人類の純真な本性に回帰し、宇宙の共同特性「真、善、忍」に向け、人生の真理方向を発掘するものである。
【０００７】
ＬＯＨＡＳな人生を追求する人々が益々多くなるに鑑み、以下のＬＯＨＡＳ生活用品の誕生を有する。
【課題を解決するための手段】
【０００８】
本考案が提示する芳香及び音響効果を具える照明灯装置は、外殻ユニット、芳香ユニット、制御パネル及びスピーカーを含む。該外殻ユニットは、殻主体及び照明灯を含む。該芳香ユニットは、前記殻主体内部に安置される。該制御パネルは、前記殻主体の外側面に安置され、そのうち、該制御パネルは、機能選択ボタン、上向き微調制御ボタン、下向き微調制御ボタン、芳香設定ボタン、録音再生設定ボタン、アラーム開閉ボタン、メモリ設定ボタン、休憩ボタン、快速確定ボタン、休眠設定ボタンを含み、該制御パネルは、更に、ＬＣＤパネル、電球ディスプレイ、ムード灯ディスプレイ、音声/音楽ディスプレイ、周波数調整ディスプレイ、アラームディスプレイ、２つのスピーカーディスプレイを含む。該スピーカーは、前記殻主体上に安置され、予め録音した音声又は音楽を再生する。
【０００９】
これにより、該機能選択ボタンは、それぞれ前記照明灯の灯源開閉時間を設定し、日の出から夕方までの徐々に暗くなる明るさを模倣した灯色効果を作り出し、アラーム時間を設定し、予め録音した音声/音楽の開閉時間を設定し、芳香ユニットの香りを放つ時間を設定することができる。
【００１０】
本考案の上記に提示する芳香及び音響効果を具える照明灯装置は、そのうち、該制御パネルのディスプレイが、ＬＣＤパネル、電球ディスプレイ、ムード灯ディスプレイ、音声/音楽ディスプレイ、周波数調整ディスプレイ、アラームディスプレイ、２つのスピーカーディスプレイを含む。
【００１１】
好適には、本考案の上記に提示する芳香及び音響効果を具える照明灯装置は、そのうち、該芳香ユニットが、収納ケース、芳香物及びファンを含み、該芳香物は、開放的収納ケース中に安置され、該ファンは、該収納ケースの一側に安置され、動力により風を吹き、芳香物の香りを該殻主体外部に放出する。
【００１２】
本考案の上記に提示する芳香及び音響効果を具える照明灯装置は、そのうち、更に、回路基板を含み、電力及び全ての操作機能を制御することに用いる。
【００１３】
本考案の上記に提示する芳香及び音響効果を具える照明灯装置は、そのうち、該外殻ユニットの照明灯は、更に、少なくとも1つのＬＥＤ灯（図示せず）を含み、灯光色彩を変化させ、ムードを作り出すことに用いる。
【００１４】
また、本考案の上記に提示する芳香及び音響効果を具える照明灯装置は、更に、マルチメディアプレイヤーを含み、予め録音した各式音声、音楽を状況に応じて再生することができる。
【考案の効果】
【００１５】
上記のように、本考案の芳香及び音響効果を具える照明灯装置は、起床の数分前を利用し、灯色が徐々に明るくなる日の出を模倣した灯光効果によって、又は更に灯光が色を変化することができ、使用者の心情を変化させ、更にLOHAS快適であるため、芳香を徐々に散逸し、または、音楽又は大自然の音声又は各種音源を再生し、自然と快適で温暖なモードになり、人が自然な芳香、快適な灯色又は大自然の状況又は温和な音源環境中で、自然に目覚め、ＬＯＨＡＳ人生の境地を享受するだけではなく、更に、本考案は、視覚障害者、聴覚障害者又は病人に恩恵をもたらすことができ、灯光、音源、方向により起床時に目覚めにより人間味及び温和性を持たせ、従来の高デシベルで耳障りなアラーム音を受けることなく、ＬＯＨＡＳな雰囲気に浸ることができる。
【図面の簡単な説明】
【００１６】
【図１】本考案の芳香及び音響効果を具える照明灯装置の実施例の正面立体図である。
【図２】該実施例の芳香及び音響効果を具える照明灯装置の背面立体図である。
【図３】該実施例の芳香及び音響効果を具える照明灯装置の分解立体図である。
【図３Ａ】該実施例中の該側蓋の立体図である。
【図３Ｂ】該実施例中のもう一側の側蓋の立体図である。
【図３Ｃ】該実施例中の該内蓋の立体図である。
【図３Ｄ】該実施例中の該ランプシェードの立体図である。
【図３Ｅ】該実施例中のもう１つのランプシェードの立体図である。
【図４】該実施例中の芳香ユニットの分解立体図である。
【図５】該実施例中の制御パネルの正面図である。
【図６】ＬＣＤパネルの正面図である。
【考案を実施するための形態】
【００１７】
図１、図２、図３において、本考案の芳香及び音響効果を具える照明灯装置の実施例は、外殻ユニット１００、芳香ユニット２００、制御パネル３００、スピーカー４００、回路基板５００及び電源ケーブル６００を含む。
【００１８】
該外殻ユニット１００は、殻主体１０及び照明灯２０を含む。該外殻体１０は、底蓋１１、上蓋１２、２つの側蓋１３，１４、後蓋１５、２つのランプシェード１６，１７、内蓋１８、ヒートシンク板１９、灯ソケット２１を含む。本実施例中、該照明灯２０は、白熱電球、薄赤/橙色の灯光であり、明るさを微調することができる。該照明灯２０は、該灯ソケット２１上に安置され、該回路基板５００と電気接続を構成する。前記の上蓋１２は、更に、複数のヒートシンク隙間１２１を残し、ヒートシンク管路を提供することに用いる。
【００１９】
図３Ａ、図３Ｂにおいて、前記の側蓋１３内部に、更に固定片１３３、回転ソケット１３５、固定溝１３７を含み、該固定溝１３７は、該側蓋１３の一側に設けられる。前記の固定片１３３は、Ｌ型片体であり、該側蓋１３上端一側に設ける。該回転ソケット１３５は、断面を具える円柱体中央に更に凸設する直径の小さな円柱１３５１である。側蓋１３と対応する側蓋１４内部に更に中空柱１４１、固定片１４３、回転ソケット１４５、固定溝１４７を含み、該中空柱１４１中の内部は、中空通路１４１１を定義し、該固定溝１４７は、該側蓋１４の一側に設けられる。前記の固定片１４３は、Ｌ型片体であり、該側蓋１４上端一側に設けられる。該回転ソケット１４５は、断面を具える円柱体中央に更に凸設する直径の小さな円柱１４５１である。
【００２０】
図３Ｃ、図３Ｄ及び図３Ｅにおいて、前記の内蓋１８は、更に、固定溝１８１，１８３を含み、複数のヒートシンク隙間１８５を残し、該固定溝１８１は、該内蓋１８一側中央に矩形に凹設され、該固定溝１８３は、該内蓋１８のもう一側中央に対称に設けられる。前記のランプシェード１６は、更にボタン１６１、２つの対称なラッチ１６３，１６３’、２つの対称な回転ボタン１６５，１６５’を含み、該回転ボタン１６５，１６５’は、Ｃ形の中空柱体構造であり、該ボタン１６１は、一端が該ランプシェード１６上側中央に延伸内凸するコ字形のボタンであり、該ボタン１６１端部は、フック部１６１１を有し、該ラッチ１６３，１６３’端部は、フック部１６３１，１６３１’を有する。前記のランプシェード１７は、更に、ボタン１７１、２つの対称なスライドレール１７３，１７３’を含み、該ボタン１７１は、一端が該ランプシェード１７上側中央に延伸内凸するコ字形のボタンであり、該ボタン１７１端部は、フック部１７１１を有し、該スライドレール１７３，１７３’は、該ランプシェード１７の両側辺縁に対称に設けられる。
【００２１】
図３及び図４において、該芳香ユニット２００は、収納ケース３０、芳香物４０及びファン５０中空殻部材１４２を含む。該中空殻部材４２内部に空間１４２１を定義し、該収納ケース３０を対称設置することに用い、該芳香物４０は、該収納ケース３０中に置かれ、該芳香ユニット２００は、前記側蓋１４の中空通路１４１１中に安置される。前記ファン５０は、該中空通路１４１１端口に結合する。
【００２２】
該芳香ユニット２００は、更に、綿片６０を含み、該収納ケース３０は、第１収容室３１と、第２収容室３２を有し、該第１収容室３１は、該第２収容室３２に連通し、該芳香物４０は、該第１収容室３１に充填され、該綿片６０は、液体エッセンス又は一般の香水、花草エッセンスを付着することに用い、該第２収容室３２中に安置される。該芳香物４０は、固体芳香剤、ドライポプリ、エッセンスオイル、アロマキャンドル、香水等のいずれか１種を含む。本実施例は、顆粒式の固体芳香剤を例とする。また、家庭の庭で栽培した自然ハーブ、ジャスミン花弁、ラベンダー、ローズマリー、香草等の植物花弁、葉片を採取し、通気性のある袋に入れ、収納ケース３０の第１収容室３１中に入れ、使用することもできる。
【００２３】
これにより、ファン５０を起動し、風力により芳香物４０を吹き、芳香物４０の香りを中空殻部材１４２の中空通路１４１１から殻主体１０外部に放出する。
図３、図３Ａ、図３Ｂ、図３Ｃ、図３Ｄ、図３Ｅにおいて、前記のランプシェード１７，１６のスライドレール１７３、１７３’、１６３、１６３’をそれぞれ該固定溝１４７、１３７に入れ固定し、前記側蓋１６のＣ形中空柱体構造の回転ボタン１６５、１６５’を、それぞれ該回転ソケット１４５の円柱１４５１及び該回転ソケットの円柱１３５１に嵌合する。これにより、該ランプシェード１６は、該回転ボタン１６５、１６５’を利用し回転を作り、該ランプシェード１６を開閉することができ、使用者が手指を利用しフック部１６１１をフックし、該ランプシェード１６を迅速に開閉し、電球を交換することができる。前記のラッチ１６３，１６３’のフック部１６３１，１６３１’は、それぞれ該側蓋１４，１３の固定片１４３，１３３に嵌合し、更に、前記の内シェード１８を側蓋１４，１３の上部に結合し、同時に該ランプシェード１６のボタン１６１を内シェード１８の固定溝１８１に結合し、もう１つのランプシェード１７のボタン１７１を内シェード１８の固定溝１８１に結合し、その後、上蓋１２を内シェード１８及びランプシェード１６，１７上端に被せる。前記側蓋１４，１３下側は、それぞれ前記灯ソケット２１左右両側に結合する。
【００２４】
図３、図５において、該制御パネル３００は、前記殻主体１０の外側面に安置され、該制御パネル３００内部は、該灯ソケット２１一側に連結し、該制御パネル３００は、前記回路基板５００と電気接続を構成し、該制御パネル３００上の各種装置機能を操作する。該制御パネル３００は、機能選択ボタン７０、上向き微調制御ボタン７１、下向き微調制御ボタン７２、芳香設定ボタン７３、録音再生設定ボタン７４、アラーム開閉ボタン７５、メモリ設定ボタン７６、休憩設定ボタン７７、快速確定ボタン７８、休眠設定ボタン８７を含む。該制御パネル３００は、更に、ＬＣＤパネル７９、電球ディスプレイ８０、ムード灯ディスプレイ８１、音声/音楽ディスプレイ８２、周波数調整ディスプレイ８３、アラームディスプレイ８４、２つのスピーカーディスプレイ８５，８６を含む。
【００２５】
前記の休憩設定ボタン７７は、アラームが既に一度停止された後、該休憩設定ボタン７７をもう一度押せば、所定時間後に、該アラームが複数回重複して警告するようにし、寝坊習慣者が起きるまで続けることができる。前記の快速確定ボタン７８の用途は、前回既に使用した1種又は多種の機能キーとし、該快速確定ボタン７８を押すことにより、前回の使用機能を再起動することができる。前記の休眠設定ボタン８７は、本考案の1種または複数種の機能ボタンの使用中に、該オフ設定ボタン８７を押せば、所定時間後に前記使用中の1種又は複数種の機能操作が自動的に動作を停止するようにするものである。
【００２６】
最後に、図２及び図３において、該後蓋１５が該スピーカー４００に組み合わさり、同時に該灯ソケット２１のもう一側に結合し、前記殻主体１０上に安置され、更に、底蓋１１を前記側蓋１３，１４、後蓋１５及び制御パネル３００の下側に結合し、本考案の外殻体１００部分を完成し、前記スピーカー４００は、予め録音した音声又は音楽を再生することができる。
【００２７】
また、本考案の芳香及び音響効果を具える照明灯装置は、更に、マルチメディアプレイヤー７００を含み、予め録音した格式音声、音楽を適時環境に応じて再生させることができる。
【００２８】
前記の芳香及び音響効果を具える照明灯装置は、更にヒートシンク板１９を含み、該ヒートシンク板１９は、前記内蓋１８下方に結合し、本考案の灯光が発生する高温熱気に対してヒートシンクを提供することに用い、内蓋１８及び上蓋１２の隙間１８５，１２１を経由して高温を散出する。
【００２９】
図６において、該制御パネル中のＬＣＤパネル７９中の格式符号の意味は以下の通りである：
AM/FM ８８：８８の表示符号は、午前及び午後又は２４時間制の時間を表示するものである。
【００３０】
CLK SETは、時間設定の表示に用いるものである。
【００３１】
ALM SETは、アラーム時間設定の表示に用いるものである。
【００３２】
８８の符号と
0003151237.tif 000019
の太陽符号は、日の出(SUN RAISE)を模倣した灯光明暗パラメータを設定することに用い、例えば、パラメータ30，45，60…等を設定するものである。ALARM時間に達する時、
0003151237.tif 000020
符号が点灯し、設定したパラメータ時間でカウントを行う。
【００３３】
0003151237.tif 000021
符号は、アラーム時間に芳香機能を自動開始する設定をした後、
0003151237.tif 000022
符号が点灯する。
アラーム（目覚まし）符号と１８８：８８領域符号は、ALARM設定後、アラーム符号が点灯し、設定時間を表示する。
【００３４】
電球及びＲＧＢ３つの円形符号及び８８符号は、ＬＩＧＨＴ及びＲＧＢ発光ダイオードの灯色機能であり、デジタル数字部分のＬＩＧＨＴは、１〜２５の明るさを選択できる。ＲＧＢは、０１〜０９までの異なる色を選択でき、また、ＬＩＧＨＴの最大明度は、ALARM時の最大明度であることができる。ＲＧＢ発光ダイオードの灯色機能は、ムードディスプレイ８１の変化表示を介して、人間味の要求に適合し、科学技術を気軽に自然使用し、ムードを作り、異なる状況に適用し、異なる灯色を展開し、情緒を添えることができる。
【００３５】
FM符号と前記１８８：８８領域符号は、ALARMの音声表示となることができる。
【００３６】
スピーカー符号と８８符号は、音量の大きさを表示するものである。
【００３７】
MEM符号は、ALARMの設定値、自然音楽又はＦＭ及び電球の強度を記憶する。
【００３８】
REC符号は、前記録音再生設定ボタン７４押している時、録音させ、録音後に自動で一度再生し、録音音楽中に保存し、再生が必要でれば、音楽モードに入り、再度再生することができ、例えば、母がそばにいない娘に伝える言葉、又は子供を起床させる言葉であり、子供を可愛がる時期に母がベッド付近で起床させることができる。または、有名人の激励の言葉録音し、自分を激励することに用いることができる。または、恋人同士が愛情を伝達する思いやりのある言葉を録音し、朝の目覚ましとすることができる。この録音設定ボタン７４は、さらに、大自然の音楽、心臓の音、波の音、鳥の鳴き声、風の音、雷の音、雨音、協会の鐘、風鈴の音、海鳴りの音、鯨の鳴き声、乳児の笑い声、を予め録音する機能を有する。
【００３９】
Hot符号は、本考案の芳香定期装置が既に使い切り、温度が過熱されていることを表示する。
【００４０】
SNOOZE符号は、前記休憩設定ボタン７７が寝坊モードをオンとなっていることを表示する。
【００４１】
0003151237.tif 000023
の4つの花の符号は、芳香(AROMA)機能がオンとなっていることを表示する。
上記のように、本考案の芳香及び音響効果を具える照明灯装置は、機能選択ボタン７０を介してそれぞれ前記照明灯２０の灯源開閉時間を設定し、起床数分前に、日の出から夕方までの明暗を模倣した灯色効果を有し、又は更に、灯光が色を変化させることができ、使用者の心情を変化させ、よりＬＯＨＡＳ快適であり、また、音楽又は大自然の音声又は各種音源を再生し、ファン５０の送風作用を定時制御し、芳香物４０又は香水又は家の中の天然の花の香り、又は綿片６０が吸引した液体の香りを、徐々に部屋全体へ散逸し、室内に香りを充満させ、耳障りなアラーム音によることなく、人にストレスを与えずに、自然の香りの中で、自然に目覚めさせ、活力のある一日を開始させることができる。
【００４２】
また、録音再生設定ボタン７４を併せ、音楽を録音、又はラジオを再生し、大自然の森林の鳥の鳴き声又はラジオの音声を補い、スピーカーを介して出力する録音音声/音楽が、起床時刻に従来の目覚ましの喧騒な音を受け、驚きの中で目覚めることを回避し、ＬＯＨＡＳの態度及び雰囲気で活力のある一日を開始させることができる。
【００４３】
更に、視覚障害者及び聴覚障害者に恩恵を与えることができ、香り、軽やかな耳に良い自然音楽、又は徐々に明るくなる灯光によって一日の開始を告知することができる。
【符号の説明】
【００４４】
１００  外殻ユニット
２００  芳香ユニット
３００  制御パネル
４００  スピーカー
５００  回路基板
６００  電源ケーブル
７００  マルチメディアプレイヤー
１０  殻主体
１１  底体
１２  上蓋
１２１  隙間
１３  側蓋
１３３  固定片
１３５  回転ソケット
１３５１  円柱
１３７  固定溝
１４  側蓋
１４１  中空柱
１４１１  中空通路
１４２  中空殻部材
１４２１  空間
１４３  固定片
１４５  回転ソケット
１４５１  円柱
１４７  固定溝
１５  後蓋
１６  ランプシェード
１６１  ボタン
１６１１  フック部
１６３  ラッチ
１６３１  フック部
１６３’  ラッチ
１６５  回転ボタン
１６５’  回転ボタン
１７  ランプシェード
１７１  ボタン
１７１１  フック部
１７３  スライドレール
１７３’  スライドレール
１８  内蓋
１８１  固定溝
１８３  固定溝
１８５  隙間
１９  ヒートシンク板
２０  照明灯
２１  灯ソケット
３０  収納ケース
３１  第１収容室
３２  第２収容室
４０  芳香物
５０  ファン
６０  綿片
７０  機能選択ボタン
７１  上向き微調制御ボタン
７２  下向き微調制御ボタン
７３  芳香設定ボタン
７４  録音再生設定ボタン
７５  アラーム開閉ボタン
７６  メモリ設定ボタン
７７  休憩設定ボタン
７８  快速確定ボタン
８７  休眠設定ボタン
７９  ＬＣＤパネル
８０  電球ディスプレイ
８１  ムードランプディスプレイ
８２  声音/音楽ディスプレイ
８３  周波数調節ディスプレイ
８４  タイマーディスプレイ
８５  スピーカーディスプレイ
８６  スピーカーディスプレイ